(57)【要約】      （修正有）【課題】３次元情報処理の負荷を軽減することができ、画面表示処理の高速化および装置の低コスト化を図ることができ、監視者が監視業務を効率よく実施することができる３次元侵入検知システムおよび３次元侵入検知方法を提供する。【解決手段】離間配置された少なくとも２つのカメラで監視エリアを撮影し、複数のカメラ画像を取得し、ユーザの入力操作に応じて、カメラ画像上に注視領域を設定する。複数のカメラ画像からそれぞれ注視領域を切り出して部分カメラ画像を取得し、これら部分カメラ画像を用いて、物体の３次元位置を計測する３次元計測を行って、注視領域の３次元情報を出力し、３次元情報の変化状況に基づいて、注視領域に侵入した物体を検知する。【選択図】図３
2018173976.tif 000002
【特許請求の範囲】
【請求項１】
離間配置された少なくとも２つのカメラと、これらのカメラで監視エリアを撮影した複数のカメラ画像を取得して監視エリアに侵入した物体を検知するサーバとを備えた３次元侵入検知システムであって、
前記サーバは、
複数の前記カメラ画像を取得し、
ユーザの入力操作に応じて、前記カメラ画像上に注視領域を設定し、
複数の前記カメラ画像からそれぞれ前記注視領域を切り出して部分カメラ画像を取得し、
これら部分カメラ画像を用いて、物体の３次元位置を計測する３次元計測を行って、前記注視領域の３次元情報を出力し、
前記３次元情報の変化状況に基づいて、前記注視領域に侵入した物体を検知することを特徴とする３次元侵入検知システム。
【請求項２】
さらに、前記サーバは、
前記注視領域に侵入した物体を示すマーク画像を生成して、ユーザの入力操作により選択された前記部分カメラ画像と前記マーク画像とを表示した監視画面を出力することを特徴とする請求項１に記載の３次元侵入検知システム。
【請求項３】
さらに、前記サーバは、
前記３次元情報を可視化したマップ画像とユーザの入力操作により選択された前記部分カメラ画像とを並べて表示した監視画面を出力すること特徴とする請求項１または請求項２のいずれかに記載の３次元侵入検知システム。
【請求項４】
さらに、前記サーバは、
前記３次元計測の対象となる計測領域を、前記侵入検知の対象となる検知領域を含み、かつ前記注視領域と同一の範囲に設定することを特徴とする請求項１に記載の３次元侵入検知システム。
【請求項５】
離間配置された少なくとも２つのカメラで監視エリアを撮影した複数のカメラ画像を取得して監視エリアに侵入した物体を検知する処理を情報処理装置に行わせる３次元侵入検知方法であって、
複数の前記カメラ画像を取得し、
ユーザの入力操作に応じて、前記カメラ画像上に注視領域を設定し、
複数の前記カメラ画像からそれぞれ前記注視領域を切り出して部分カメラ画像を取得し、
これら部分カメラ画像を用いて、物体の３次元位置を計測する３次元計測を行って、前記注視領域の３次元情報を出力し、
前記３次元情報の変化状況に基づいて、前記注視領域に侵入した物体を検知することを特徴とする３次元侵入検知方法。
【発明の詳細な説明】
【技術分野】
【０００１】
本発明は、離間配置された少なくとも２つのカメラで監視エリアを撮影した複数のカメラ画像から、監視エリアの３次元情報を取得して、その３次元情報に基づいて、監視エリアに侵入した物体を検知する３次元侵入検知システムおよび３次元侵入検知方法に関するものである。
【背景技術】
【０００２】
監視エリアを撮影するカメラを設置して、カメラ画像の画像処理により、監視エリアに侵入する人物などの物体を検知する侵入検知システムが広く普及している。このような侵入検知システムでは、明るさなどの環境が変化することで、誤検知が頻繁に発生することから、環境変化の影響を受けにくい頑強な侵入検知が可能な技術が望まれる。
【０００３】
このような侵入検知に関する技術として、従来、左右のカメラ画像に基づいて、監視エリア内の物体の３次元位置を計測する３次元計測を行って、監視エリアの３次元情報を取得して、その３次元情報に基づいて、監視エリアに侵入した物体を検知する技術が知られている（特許文献１参照）。
【先行技術文献】
【特許文献】
【０００４】
【特許文献１】特許第３３８８０８７号公報
【発明の概要】
【発明が解決しようとする課題】
【０００５】
さて、このような侵入検知では、ある程度の誤検知が避けられない。このため、監視エリアに侵入した物体が検知された場合に、誤検知でないかを監視者が確認することが望まれる。さらに、誤検知が頻発する場合には、侵入検知が正常に行われているかを監視者が確認することが望まれる。このような要望に対して、監視エリアの実際の状況を映したカメラ画像を監視画面に表示し、さらに、侵入検知に用いられる３次元情報を可視化した画像を監視画面に表示することが考えられる。
【０００６】
しかしながら、前記従来の技術では、ステレオカメラで撮像した監視エリア全域に対して３次元計測を行って、監視エリアの３次元情報を取得して、監視エリアに侵入した物体が検知する構成であるため、３次元情報を取得にかかる演算量が大きく、左右のカメラ画像や、３次元情報を可視化した画像を、どのように監視画面に表示するかに関する考慮は一切されておらず、監視者が監視業務を効率よく実施することができず、監視者の負担が増大するといった問題があった。
【０００７】
そこで、本発明は、３次元情報処理の負荷を軽減することができ、画面表示処理の高速化および装置の低コスト化を図ることができ、監視者が監視業務を効率よく実施することができる３次元侵入検知システムおよび３次元侵入検知方法を提供することを主な目的とする。
【課題を解決するための手段】
【０００８】
本発明の３次元侵入検知システムは、離間配置された少なくとも２つのカメラと、これらのカメラで監視エリアを撮影した複数のカメラ画像を取得して監視エリアに侵入した物体を検知するサーバとを備えた３次元侵入検知システムであって、前記サーバは、複数の前記カメラ画像を取得し、ユーザの入力操作に応じて、前記カメラ画像上に注視領域を設定し、複数の前記カメラ画像からそれぞれ前記注視領域を切り出して部分カメラ画像を取得し、これら部分カメラ画像を用いて、物体の３次元位置を計測する３次元計測を行って、前記注視領域の３次元情報を出力し、前記３次元情報の変化状況に基づいて、前記注視領域に侵入した物体を検知する構成とする。
【０００９】
また、本発明の３次元侵入検知方法は、離間配置された少なくとも２つのカメラで監視エリアを撮影した複数のカメラ画像を取得して監視エリアに侵入した物体を検知する処理を情報処理装置に行わせる３次元侵入検知方法であって、複数の前記カメラ画像を取得し、ユーザの入力操作に応じて、前記カメラ画像上に注視領域を設定し、複数の前記カメラ画像からそれぞれ前記注視領域を切り出して部分カメラ画像を取得し、これら部分カメラ画像を用いて、物体の３次元位置を計測する３次元計測を行って、前記注視領域の３次元情報を出力し、前記３次元情報の変化状況に基づいて、前記注視領域に侵入した物体を検知する構成とする。
【発明の効果】
【００１０】
本発明によれば、３次元情報処理の負荷を軽減することができ、画面表示処理の高速化および装置の低コスト化を図ることができ、監視者が監視業務を効率よく実施することができる。
【図面の簡単な説明】
【００１１】
【図１】本実施形態に係る３次元侵入検知システムの全体構成図
【図２】カメラ画像上に設定される検知領域および注視領域の一例を示す説明図
【図３】サーバ２で行われる処理の概要を示す説明図
【図４】サーバ２の概略構成を示すブロック図
【図５】２分割表示モードの監視画面を示す説明図
【図６】単一画像表示モードの監視画面を示す説明図
【図７】４分割表示モードの監視画面を示す説明図
【発明を実施するための形態】
【００１２】
前記課題を解決するためになされた第１の発明は、離間配置された少なくとも２つのカメラと、これらのカメラで監視エリアを撮影した複数のカメラ画像を取得して監視エリアに侵入した物体を検知するサーバとを備えた３次元侵入検知システムであって、前記サーバは、複数の前記カメラ画像を取得し、ユーザの入力操作に応じて、前記カメラ画像上に注視領域を設定し、複数の前記カメラ画像からそれぞれ前記注視領域を切り出して部分カメラ画像を取得し、これら部分カメラ画像を用いて、物体の３次元位置を計測する３次元計測を行って、前記注視領域の３次元情報を出力し、前記３次元情報の変化状況に基づいて、前記注視領域に侵入した物体を検知する構成とする。
【００１３】
これによると、３次元情報処理の負荷を軽減することができ、画面表示処理の高速化および装置の低コスト化を図ることができ、監視者が監視業務を効率よく実施することができる。
【００１４】
また、第２の発明は、さらに、前記サーバは、前記注視領域に侵入した物体を示すマーク画像を生成して、ユーザの入力操作により選択された前記部分カメラ画像と前記マーク画像とを表示した監視画面を出力する構成とする。
【００１５】
これによると、監視業務で重要となる注視領域に対応した部分カメラ画像およびマーク画像を表示した監視画面により、監視業務を効率よく実施することができる。
【００１６】
また、第３の発明は、さらに、前記サーバは、前記３次元情報を可視化したマップ画像とユーザの入力操作により選択された前記部分カメラ画像とを並べて表示した監視画面を出力する構成とする。
【００１７】
これによると、監視エリアの実際の状況を写した部分カメラ画像により、誤検知でないか否かの確認を監視者が行うことができ、また、３次元情報を可視化したマップ画像により、３次元情報に基づく侵入検知が正常であるか否かの確認を監視者が行うことができる。
【００１８】
また、第４の発明は、さらに、前記サーバは、前記３次元計測の対象となる計測領域を、前記侵入検知の対象となる検知領域を含み、かつ前記注視領域と同一の範囲に設定する構成とする。
【００１９】
これによると、計測領域が検知領域を含むように設定されるため、３次元計測で生成する３次元情報に基づいて侵入検知を適切に行うことができる。
【００２０】
また、第５の発明は、離間配置された少なくとも２つのカメラで監視エリアを撮影した複数のカメラ画像を取得して監視エリアに侵入した物体を検知する処理を情報処理装置に行わせる３次元侵入検知方法であって、複数の前記カメラ画像を取得し、ユーザの入力操作に応じて、前記カメラ画像上に注視領域を設定し、複数の前記カメラ画像からそれぞれ前記注視領域を切り出して部分カメラ画像を取得し、これら部分カメラ画像を用いて、物体の３次元位置を計測する３次元計測を行って、前記注視領域の３次元情報を出力し、前記３次元情報の変化状況に基づいて、前記注視領域に侵入した物体を検知する構成とする。
【００２１】
これによると、第１の発明と同様に、３次元情報処理の負荷を軽減することができ、画面表示処理の高速化および装置の低コスト化を図ることができ、監視者が監視業務を効率よく実施することができる。
【００２２】
以下、本発明の実施の形態を、図面を参照しながら説明する。
【００２３】
図１は、本実施形態に係る３次元侵入検知システムの全体構成図である。
【００２４】
３次元侵入検知システムは、左右一対のカメラ１と、サーバ２（３次元侵入検知装置、情報処理装置）と、を備えている。
【００２５】
カメラ１は、監視エリアを撮影する。また、左右のカメラ１が同一のタイミングで撮影を行うための同期信号が、一方のカメラ１から他方のカメラ１に出力される。
【００２６】
サーバ２は、左右のカメラ１から出力される左右のカメラ画像に基づいて、カメラ画像に写る物体の３次元位置を計測する３次元計測を行い、この３次元計測で取得した監視エリアの３次元情報に基づいて、監視エリアに侵入した人物などの物体を検知する。
【００２７】
カメラ１は、単眼カメラであり、所定の距離をおいて左右に離間して設置される。このような構成により、２つのカメラ１の間隔を大きく確保できるため、奥行きのある３次元情報を取得することができ、広域の監視に適している。
【００２８】
一方、このような構成では、１つの筐体内に２つのカメラを収容したステレオカメラ（２眼カメラ）と異なり、現場に設置された状態で、正確な３次元情報を生成するためのキャリブレーション（較正）を行う。また、振動や強風などの影響により、２つのカメラ１の位置関係がずれやすいため、設置後の適宜なタイミングでキャリブレーションを行う。
【００２９】
なお、サーバ２を、ネットワークを介してカメラ１に接続されるようにしてもよく、これにより、遠隔地に設置されたサーバ２で侵入検知を行うことができる。また、ここでは、カメラ１として左右一対のカメラによる構成を例示しているが、カメラ１を３台以上で構成することもできる。その場合、監視エリアに対して、より精度の高い３次元情報を取得することができる。
【００３０】
次に、カメラ画像上に設定される検知領域および注視領域について説明する。図２は、検知領域および注視領域の一例を示す説明図である。
【００３１】
本実施形態では、左右のカメラ１から出力される左右のカメラ画像に基づいて、カメラ画像に写る物体の３次元位置を計測する３次元計測を行い、この３次元計測で取得した３次元情報を用いて侵入検知を行う。
【００３２】
そこで、カメラ画像上に、侵入検知の対象となる検知領域が設定される。この検知領域は、検知対象となる人物などの物体が存在する３次元空間であり、地面などの底面（床面）と高さとで規定される箱状（多面体）の空間となる。
【００３３】
また、撮影領域（カメラ画像に写る全領域）の中で、特に監視業務で重要となる領域、すなわち監視者が注視すべき注視領域が設定される。この注視領域は、監視画面に表示させるカメラ画像の範囲となる。この注視領域は、検知領域を含むように設定される。
【００３４】
また、３次元計測の対象となる計測領域が設定される。本実施形態では、計測領域が注視領域と同一の範囲に設定される。
【００３５】
この検知領域および注視領域は、各々の範囲を指定するユーザの入力操作に応じて設定される。なお、検知領域の範囲をユーザが指定することで、その検知領域を含むように、および注視領域（計測領域）が自動で設定されるようにしてもよい。
【００３６】
なお、図２に示す例では、矩形の注視領域が、カメラ画像の左右の辺を共有するように設定されているが、この注視領域は、カメラ画像上の任意の位置に設定することができる。また、注視領域の形状も矩形に限定されるものではなく、任意の形状に注視領域を設定することができる。
【００３７】
次に、サーバ２で行われる処理について説明する。図３は、サーバ２で行われる処理の概要を示す説明図である。
【００３８】
サーバ２では、まず、左右のカメラ１から出力される左右のカメラ画像（フレーム）を取得して、この左右のカメラ画像から注視領域（計測領域）を切り出して部分カメラ画像を取得する。そして、この部分カメラ画像を用いて３次元計測を行い、フレームに対応する各時刻の３次元情報を生成する。なお、適宜にフレームを間引いて３次元情報を生成するようにしてもよい。
【００３９】
次に、各時刻の３次元情報の変化状況に基づいて、検知領域内に侵入した物体を検知する侵入検知を行う。ここでは、各時刻の３次元情報を、侵入した物体が存在しない状態で取得した背景の３次元情報と比較することで、侵入物体の領域を検出し、侵入物体の位置情報（３次元位置）を取得する。なお、この侵入検知は、各カメラ１が備える撮像画像からの検知機能と組み合わせて実行するようにしてもよい。
【００４０】
次に、３次元計測で取得した３次元情報に基づいて、注視領域の３次元情報を可視化した部分デプスマップ（マップ画像）を生成する。また、侵入検知で取得した侵入物体の位置情報に基づいて、侵入物体を取り囲む枠画像（マーク画像）を生成して、その枠画像を部分カメラ画像における侵入物体の位置に重畳する画像合成を行う。そして、画像合成後の部分カメラ画像と部分デプスマップとを並べて表示した監視画面を生成する。
【００４１】
なお、図３に示す例では、左側の部分カメラ画像を監視画面に表示するようにしているが、右側の部分カメラ画像を監視画面に表示するようにしてもよい。
【００４２】
このように本実施形態では、侵入検知が、３次元計測で取得した３次元情報を用いて行われるため、図２に示したように、注視領域（計測領域）は検知領域を含むように設定される。また、注視領域（計測領域）が大きくなると、３次元計測などでの演算量が増えるため、注視領域（計測領域）を、検知領域に外接する矩形とするとよい。
【００４３】
なお、本実施形態では、計測領域を注視領域と同一の範囲に設定するようにしたが、計測領域を注視領域と異なる範囲に設定するようにしてもよい。この場合、注視領域を、検知領域を含むように設定するとともに、計測領域を、注視領域を含むように設定するとよい。これにより、侵入検知の検知結果である枠画像を漏れなく監視画面に表示させることができ、また、監視画面に部分デプスマップを表示する際に、３次元計測をやり直す必要がなくなる。
【００４４】
次に、サーバ２の概略構成について説明する。図４は、サーバ２の概略構成を示すブロック図である。
【００４５】
サーバ２は、画像入力部１１（画像取得部）と、制御部１２と、記憶部１３と、表示部１４（表示装置）と、操作入力部１５と、を備えている。
【００４６】
画像入力部１１には、左右のカメラ１から出力される左右のカメラ画像が入力される。
【００４７】
記憶部１３は、画像入力部１１に入力されたカメラ画像や、制御部１２で生成したデプスマップなどを記憶する。また、記憶部１３は、制御部１２で実行するプログラムを記憶する。
【００４８】
表示部１４は、液晶ディスプレイなどの表示デバイスからなる。操作入力部１５は、キーボードやマウスなどの入力デバイスからなる。
【００４９】
制御部１２は、領域設定部２１と、３次元計測部２２と、侵入検知部２３と、画面生成部２４と、を備えている。この制御部１２は、プロセッサで構成され、制御部１２の各部は、記憶部１３に記憶されたプログラムを実行することで実現される。
【００５０】
領域設定部２１は、操作入力部１５でのユーザの入力操作に応じて、検知領域および注視領域を設定する。ここで、検知領域および注視領域の範囲をユーザが個別に指定するようにしてもよいが、検知領域の範囲をユーザが指定し、この検知領域の範囲に基づいて、注視領域の範囲を領域設定部２１で設定するようにしてもよい。
【００５１】
３次元計測部２２は、画像入力部１１に入力された左右のカメラ画像に基づいて、領域設定部２１で設定された注視領域（計測領域）における物体の３次元位置を計測する３次元計測を行い、注視領域の３次元情報を生成する。
【００５２】
侵入検知部２３は、３次元計測部２２で取得した３次元情報に基づいて、領域設定部２１で設定された検知領域に侵入した侵入物体を検知する。
【００５３】
画面生成部２４は、３次元計測部２２で取得した３次元情報、侵入検知部２３での検知結果、および領域設定部２１で設定された注視領域に基づいて、表示部１４に表示させる監視画面を生成する。また、操作入力部１５でのユーザの入力操作に応じて、監視画面の表示モードを切り替えて、表示モードに応じた監視画面を生成する。
【００５４】
次に、表示部１４に表示される監視画面について説明する。図５は、２分割表示モードの監視画面を示す説明図である。図６は、単一画像表示モード（カメラ画像表示モードおよびデプスマップ表示モード）の監視画面を示す説明図である。図７は、４分割表示モードの監視画面を示す説明図である。
【００５５】
図５〜図７に示すように、監視画面には、「２分割」、「カメラ」、「デプス」、「４分割」の各タブ３１〜３４（操作部）が設けられている。
【００５６】
「２分割」のタブ３１を操作すると、図５に示す２分割表示モードの監視画面が表示される。
【００５７】
この２分割表示モードの監視画面では、画像表示部３５に、部分カメラ画像４１と部分デプスマップ４２（マップ画像）とが並べて表示される。部分カメラ画像４１は、カメラ１から取得したカメラ画像から注視領域を切り出したものである。この部分カメラ画像４１には、監視エリアに侵入した侵入物体が写り、また、侵入検知の検知結果に基づいて侵入物体を示す枠画像４３（マーク画像）が表示される。部分デプスマップ４２は、３次元計測部２２で生成した注視領域の３次元情報を可視化したものであり、部分カメラ画像４１と同様に、注視領域に限定した状態で表示される。
【００５８】
なお、撮影時刻や撮影場所などの侵入検知に関する情報（検知情報）などを監視画面に表示するようにしてもよい。この場合、必要な情報を余白部分に表示するようにしてもよいが、部分カメラ画像４１や部分デプスマップ４２に重畳して表示するようにしてもよい。
【００５９】
このように２分割表示モードでは、部分カメラ画像４１と部分デプスマップ４２とが同時に表示される。ここで、部分カメラ画像４１を観察することで、侵入物体を監視者が目視で確認することができる。これにより、検知対象外の物体を検知する誤検知が発生しているか否かを監視者が判断することができる。例えば、部分カメラ画像４１に鳥が写り、この鳥に枠画像４３が表示されている場合には、鳥を人物と誤検知したものと監視者が判断することができる。
【００６０】
また、部分デプスマップ４２を観察することで、侵入検知が正常に行われているか否かを目視で確認することができる。部分デプスマップ４２が異常であれば、その元になる３次元情報に基づいて行われる侵入検知も異常となる。また、部分カメラ画像４１と部分デプスマップ４２とを目視で比較することで、誤検知が発生した要因を監視者が推測することができる。
【００６１】
また、「カメラ」のタブ３２を操作すると、図６（Ａ）に示すカメラ画像表示モードの監視画面が表示される。
【００６２】
このカメラ画像表示モードの監視画面では、画像表示部３５に、カメラ画像４４のみが表示される。図５に示した２分割表示モードでは、注視領域に限定した部分カメラ画像４１が表示されるが、このカメラ画像表示モードでは、カメラ１から取得したカメラ画像がそのまま表示され、撮影領域の全体を観察することができる。また、２分割表示モードと同様に、侵入物体を示す枠画像４３が表示される。
【００６３】
また、「デプス」のタブ３３を操作すると、図６（Ｂ）に示すデプスマップ表示モードの監視画面が表示される。
【００６４】
このデプスマップ表示モードの監視画面では、画像表示部３５に、部分デプスマップ４２のみが表示される。この部分デプスマップ４２は、図５に示した２分割表示モードと同様に、注視領域に限定した状態で表示される。また、部分デプスマップ４２の周囲には、撮影領域における注視領域外の領域がグレーアウトで表示される。これにより、撮影領域の中の注視領域の位置を監視者が確認することができる。また、部分デプスマップ４２には、侵入物体を示す枠画像４３が表示される。
【００６５】
また、「４分割」のタブ３４を操作すると、図７に示す４分割表示モードの監視画面が表示される。
【００６６】
この４分割表示モードの監視画面では、画像表示部３５に、左側のカメラ画像４４と、右側のカメラ画像４５と、デプスマップ４６（マップ画像）と、情報表示欄４７と、が表示される。
【００６７】
左側のカメラ画像４４および右側のカメラ画像４５は、左右のカメラ１から取得したものである。デプスマップ４６は、撮影領域の全体を対象にした３次元計測で取得した３次元情報に基づいて生成したものである。情報表示欄４７には、撮影時刻や撮影場所などの侵入検知に関係する情報（検知情報）などに関する文字情報が表示される。
【００６８】
また、図５〜図７に示すように、監視画面には、「設定」のボタン３６が設けられている。この「設定」のボタン３６を操作すると、設定画面（図示せず）に遷移する。この設定画面では、各種の設定項目に関する指定をユーザが行うことができ、例えば、検知領域および注視領域の範囲をユーザが指定することができる（図２参照）。
【００６９】
このように本実施形態では、「２分割」、「カメラ」、「デプス」、「４分割」の各タブ３１〜３４を操作することで、用途に応じて、監視画面の表示モードを切り替えることができる。なお、監視画面の初期状態では、図５に示す２分割表示モードの監視画面が表示されるようにするとよい。
【００７０】
また、図５に示す２分割表示モードでは、注視領域に限定した部分カメラ画像４１および部分デプスマップ４２が表示され、図７に示す４分割表示モードと比較して、表示される画像数が少なくなり、また、画像が大きく表示されるため、監視エリアの状況を詳細に且つ手際よく観察することができ、監視業務を効率よく実施することができる。
【００７１】
また、図５に示す２分割表示モードや、図６（Ｂ）に示すデプスマップ表示モードでは、注視領域に限定した部分デプスマップ４２が表示されるが、検知領域を含むように注視領域（計測領域）が設定されることで、部分デプスマップ４２を画面表示させる際に、改めて３次元計測の処理を行う必要がないため、処理の負荷を軽減することができる。
【００７２】
なお、図７に示す４分割表示モードでは、撮影領域の全体のデプスマップ４６を表示させるため、４分割表示モードに切り替える際に、撮影領域の全体を対象にして３次元計測の処理をやり直すことになる。そのため、図６（Ｂ）と同様に注視領域に限定した部分デプスマップでもよい。
【００７３】
また、本実施形態では、２分割表示モードやカメラ画像表示モードの監視画面で、左側のカメラ画像を表示するようにしたが、右側のカメラ画像を表示するようにしてもよい。また、監視画面に、カメラ画像を切り替えるボタンなどの操作部を設けて、左側のカメラ画像と右側のカメラ画像とを切り替えることができるようにしてもよい。
【００７４】
また、３次元情報が異常であることを検知して、カメラ１のキャリブレーションを促すメッセージを監視画面に表示するようにしてもよい。この場合、各種のパラメータをユーザが指定する手動キャリブレーションの他に、各種のパラメータを制御部１２が設定する自動キャリブレーションも可能である。
【００７５】
また、本実施形態では、図５などに示したように、侵入検知で検知された侵入物体を示す枠画像４３をカメラ画像上に表示するようにしたが、デプスマップ上に枠画像を表示するようにしてもよい。また、カメラ画像およびデプスマップの両方に枠画像を表示するようにしてもよい。
【００７６】
また、本実施形態では、図６（Ｂ）に示したように、デプスマップ表示モードで、注視領域に限定した部分デプスマップ４２を表示するようにしたが、撮影領域の全体を対象にしたデプスマップを表示するようにしてもよい。この場合、表示モードを切り替える際に、撮影領域の全体を対象にして３次元計測の処理をやり直す。
【００７７】
また、本実施形態では、監視画面に表示されたタブ３１〜３４（操作部）を操作することで、表示モードが切り替えられるようにしたが、このような画面操作によらずに、操作キーなどの入力デバイスを用いて表示モードを切り替えるようにしてもよい。
【００７８】
以上のように、本出願において開示する技術の例示として、実施形態を説明した。しかしながら、本開示における技術は、これに限定されず、変更、置き換え、付加、省略などを行った実施形態にも適用できる。また、上記の実施形態で説明した各構成要素を組み合わせて、新たな実施形態とすることも可能である。
【００７９】
例えば、前記の実施形態では、左右一対のカメラ１を設置したが、カメラの台数はこれに限定されるものではなく、少なくとも２つ（複数）のカメラがあればよい。すなわち、３台以上のカメラを設置して、３つ以上のカメラ画像から３次元情報を生成することも可能であり、これにより、３次元情報の精度を向上させることができる。
【００８０】
また、前記の実施形態では、監視画面に侵入物体を示すマーク画像として、侵入物体を取り囲む矩形の枠画像４３を表示するようにしたが、マーク画像は、矩形に限定されるものではなく、円形などの種々の形状としてもよい。また、マーク画像は、侵入物体を取り囲む形態に限定されるものではなく、矢印の画像などで侵入物体を指し示すようにしてもよい。
【産業上の利用可能性】
【００８１】
本発明に係る３次元侵入検知システムおよび３次元侵入検知方法は、誤検知でないか否かの確認や、侵入検知が正常であるか否かの確認などの作業を、必要に応じて監視者が簡便に行い、監視者が監視業務を効率よく実施することができる効果を有し、離間配置された少なくとも２つのカメラで監視エリアを撮影した複数のカメラ画像から、監視エリアの３次元情報を取得して、その３次元情報に基づいて、監視エリアに侵入した物体を検知する３次元侵入検知システムおよび３次元侵入検知方法などとして有用である。
【符号の説明】
【００８２】
１  カメラ
２  サーバ（情報処理装置）
１１  画像入力部（画像取得部）
１２  制御部
１３  記憶部
１４  表示部
１５  操作入力部
２１  領域設定部
２２  次元計測部
２３  侵入検知部
２４  画面生成部
４１  部分カメラ画像
４２  部分デプスマップ
４３  枠画像（マーク画像）
４４  カメラ画像
４５  カメラ画像
４６  デプスマップ
４７  情報表示欄
【図１】
2018173976.tif 000003
【図２】
2018173976.tif 000004
【図３】
2018173976.tif 000005
【図４】
2018173976.tif 000006
【図５】
2018173976.tif 000007
【図６】
2018173976.tif 000008
【図７】
2018173976.tif 000009